(57)【要約】【課題】  コンパクトかつ軽量でかさばらず取り扱いに便利であると共に、分解によりさらにコンパクト化されて携帯に便利な靴下類着用補助器具の提供。【解決手段】  平面視でほぼ円筒状の本体部の上側に前側が開いた半円筒状の靴下類サポート部が一体に形成され、前記本体部の下側には少なくとも前側が開いた基台部が一体に形成され、本体部１と靴下類サポート部２と基台部３がそのほぼ前後方向中心線Ｃ位置を中心として左右２つのパーツＡ１、Ａ２に分解及び組み立て可能に構成される。【選択図】      図１０
2009261745.tif 000002
【特許請求の範囲】
【請求項１】
平面視でほぼ円筒状の本体部の上側に前側が開いた半円筒状の靴下類サポート部が一体に形成され、
前記本体部の下側には少なくとも前側が開いた基台部が一体に形成され、
前記本体部と靴下類サポート部と基台部がそのほぼ前後方向中心線位置を中心として左右２つのパーツに分解及び組み立て可能に構成されていることを特徴とする靴下類着用補助器具。
【請求項２】
請求項１に記載の靴下類着用補助器具において、前記本体部と靴下類サポート部と基台部が線材で形成されていることを特徴とする靴下類着用補助器具。
【発明の詳細な説明】
【技術分野】
【０００１】
本発明は、特に、リンパ浮腫や下肢静脈瘤などに対する圧迫治療として用いる医療用弾性ストッキングなどを足に装着する際に用いられる靴下類着用補助器具に関する。
【背景技術】
【０００２】
従来、この種の靴下類着用補助器具としては、ベースと、前記ベースにより担持される上から見てほぼＵ形のサポートエレメントを有する靴下類サポートと、前記靴下類サポートに隣接して前記ベースから外方に延びるハンドルを有する少なくとも１つのハンドルサポートとを有し、ベースと靴下類サポートとハンドルサポートとをそれぞれ分解組み立て可能に構成されたものが知られている（例えば、特許文献１参照。）。
【特許文献１】特開２００４−２３０１７０号公報
【発明の開示】
【発明が解決しようとする課題】
【０００３】
しかしながら、従来例の靴下類着用補助器具にあっては、以下のような問題点がある。
即ち、従来例のものは、部品点数が多く大型で重くかさばるため、日常的に色々な場所で必要であるにもかかわらず、携帯が著しく困難で移動先での使用に制限があった。
【０００４】
なお、従来例のものは、一応、ベースと靴下類サポートとハンドルサポートとに分解可能としているが、分解された靴下類サポートは上から見てほぼＵ形のサポートエレメントを有したままであるため、かさばり、携帯が困難である。
【０００５】
また、従来例のものは、部品点数が多いため、分解組み立て作業が面倒で多くの時間と労力がかかってしまう。
【０００６】
本発明の解決しようとする課題は、コンパクトかつ軽量でかさばらず取り扱いに便利であると共に、分解によりさらにコンパクト化されて携帯に便利な靴下類着用補助器具を提供することにある。
【課題を解決するための手段】
【０００７】
上記課題を解決するため請求項１記載の靴下類着用補助器具は、平面視でほぼ円筒状の本体部の上側に前側が開いた半円筒状の靴下類サポート部が一体に形成され、前記本体部の下側には少なくとも前側が開いた基台部が一体に形成され、前記本体部と靴下類サポート部と基台部がそのほぼ前後方向中心線位置を中心として左右２つのパーツに分解及び組み立て可能に構成されていることを特徴とする手段とした。
【０００８】
請求項２記載の靴下類着用補助器具は、請求項１に記載の靴下類着用補助器具において、前記本体部と靴下類サポート部と基台部が線材で形成されていることを特徴とする手段とした。
【発明の効果】
【０００９】
本発明の靴下類着用補助器具では、上述のように、平面視でほぼ円筒状の本体部の上側に前側が開いた半円筒状の靴下類サポート部が一体に形成され、前記本体部の下側には少なくとも前側が開いた基台部が一体に形成された構造で、ほぼ円筒状で余分な飛び出し部分が存在しないため、コンパクトかつ軽量でかさばらす、取り扱いに便利である。
【００１０】
また、前記本体部と靴下類サポート部と基台部がそのほぼ前後方向中心線位置を中心として左右２つのパーツに分解及び組み立て可能に構成されることで、分解した時の両パーツの厚さが円筒の半径相当に薄くなる。このため、両パーツを互いに湾曲方向を合わせて重ねることでさらに薄くコンパクトな形になる。従って、携帯に便利である。
【００１１】
また、請求項２記載の靴下類着用補助器具では、上述のように、前記本体部と靴下類サポート部と基台部が線材で形成されることで、軽量化できるため、さらに携帯に便利になる。
【発明を実施するための最良の形態】
【００１２】
以下にこの発明の実施例を図面に基づいて説明する。
【実施例１】
【００１３】
この実施例の靴下類着用補助器具は、請求項１および２に記載の発明に対応する。
まず、この実施例の靴下類着用補助器具の構成を図面に基づいて説明する。
【００１４】
図１はこの実施例の靴下類着用補助器具を示す組み立て状態の平面図、図２は同正面図、図３は同側面図、図４は同斜視図、図５〜図９は実施例の靴下類着用補助器具による靴下類の装着方法を断面で示す工程説明図、図１０は分解状態を示す工程説明図である。
【００１５】
この靴下類着用補助器具は、図１〜４に示すように、本体部１と、靴下類サポート部２と、基台部３と、を備える構造で、全てが鉄等の丸棒を折曲及び溶接して形成されている。
そして、この本体部１と靴下類サポート部２と基台部３は、図１、１０、１１に示すように、そのほぼ前後方向中心線Ｃ位置を中心として左右２つのパーツＡ１、Ａ２に分解及び組み立て可能に構成されている。
【００１６】
さらに詳述すると、上記本体部１は、図１に示すように、組み立てた使用状態では、平面視でほぼ円筒状に形成されている。
上記靴下類サポート部２は、靴下類を装着する部分で、図１、４に示すように、前側が開いた半円筒状に形成され、本体部１の上端のほぼ後ろ半分の位置から上向きに延設されている。
【００１７】
また、分解組み付け可能な左右２つのパーツＡ１、Ａ２は、図１、１０、１１に示すように、ほぼ前後方向中心線Ｃ位置の本体部１の前側と、本体部１及び靴下類サポート部２の後側の前後２箇所に係脱自在な連結手段Ｂ１、Ｂ２を備えている。
後側の連結手段Ｂ２は、線材による係合フックＢ２ａとこの係合フックＢ２ａに着脱自在に係合する線材による係合軸Ｂ２ｂとで構成され、両パーツＡ１、Ａ２を左右対称状に開いた状態で互いに係脱可能で、係合させた状態で両パーツＡ１、Ａ２を閉じると係合状態が維持される蝶番状に形成されている。
前側の連結手段Ｂ１も、線材による係合フックＢ１ａとこの係合フックＢ１ａに着脱自在に係合する線材による係合軸Ｂ１ｂとで構成され、後側の連結手段Ｂ２を係合させた状態で両パーツＡ１、Ａ２を閉じて係合フックＢ１ａに係合軸Ｂ１ｂを圧入させることにより、線材の弾性で係合状態が維持されるようになっている。
【００１８】
次に、この実施例の作用を説明する。
[靴下類着用補助器具による靴下類の装着方法]
この実施例の靴下類着用補助器具では上述のように構成されるため、先ず、図５に示すように、医療用弾性ストッキングなどの靴下類４の下側である足先部分４ａを、靴下類サポート部２及び本体部１内空間に差し込んだ状態で、靴下類４のふくらはぎ又は太もも部分（以下、太もも部分と言う）４ｂ側上端開口部を靴下類サポート部２の外側に折り返して装着する。
【００１９】
次に、図６に示すように、太もも部分４ｂを靴下類サポート部２の外側にたぐり下げて、かかと部分４ｃが見える位置まで足先部分４ａを引き上げていくことにより、靴下類着用補助器具に対する靴下類４の装着を完了する。
【００２０】
そこで、図７に示すように、靴下類４の足先部分４ａに足５をその足先から差し込むことにより、足５のかかとが、靴下類４のかかと部分４ｃにしっかりフィットした状態になる。
【００２１】
次に、図８に示すように、足５を床部分まで差し込むことにより、下類サポート部２の外側にたぐり下げられた太もも部分４ｂが靴下類サポート部２及び本体部１内空間に引き込まれながら足５に装着されていく。
【００２２】
次に、図９に示すように、靴下類サポート部２の外側に残った太もも部分４ｂを引き抜いて足５にたくし上げながら靴下類着用補助器具から足５を引き抜くことにより、足５に対する靴下類４の装着を完了する。
【００２３】
[靴下類着用補助器具の携帯方法]
この実施例の靴下類着用補助器具では、上述のように分解組み立て可能な左右一対のパーツＡ１、Ａ２で構成されているため、携帯する時は、先ず、前側の連結手段Ｂ１を線材の弾性力に抗して外し、後側の連結手段Ｂ２部分を中心として左右に開いた状態で後側の連結手段Ｂ２を外すことにより、図１０に示すように、後側の連結手段Ｂ２の連結状態を解除し、２つのパーツＡ１、Ａ２に分割することができる。
【００２４】
次に、図１１に示すように、分割された２つのパーツＡ１、Ａ２を難いに重ねることにより、本体部１の円筒の小径側方向の半径程度の厚さまでコンパクトになる。
【００２５】
次に、この実施例の効果を説明する。
この実施例の靴下類着用補助器具では、上述のように、平面視でほぼ円筒状の本体部１の上側に前側が開いた半円筒状の靴下類サポート部２が一体に形成され、本体部１の下側には前側が開いた基台部３が一体に形成された構造で、ほぼ円筒状で余分な飛び出し部分が存在しないため、コンパクトかつ軽量でかさばらす、取り扱いに便利である。
【００２６】
また、本体部１と靴下類サポート部２と基台部３がそのほぼ前後方向中心線Ｃ位置を中心として左右２つのパーツＡ１、Ａ２に分解及び組み立て可能に構成されることで、分解した時の両パーツＡ１、Ａ２の厚さが円筒の半径相当に薄くなる。このため、両パーツＡ１、Ａ２を互いに湾曲方向を合わせて重ねることでさらに薄くコンパクトな形になる。従って、携帯に便利である。
【００２７】
また、上述のように、本体部１と靴下類サポート部２と基台部３が線材で形成されることで、軽量化できるため、さらに携帯に便利になる。
【００２８】
以上本実施例を説明してきたが、本発明は上述の実施例に限られるものではなく、本発明の要旨を逸脱しない範囲の設計変更等があっても、本発明に含まれる。
【００２９】
例えば、実施例では、全体を線材で形成したが、パイプ材や板材で形成することも可能である。
【００３０】
また、実施例では、連結手段として、左右方向から違いに係合させる構造を例示したが、具体的構造は任意であり、例えば、両パーツを上下方向から差し込み係合させるようにしてもよい。
【図面の簡単な説明】
【００３１】
【図１】実施例の靴下類着用補助器具を示す組み立て状態の平面図である。
【図２】実施例の靴下類着用補助器具を示す組み立て状態の正面図である。
【図３】実施例の靴下類着用補助器具を示す組み立て状態の側面である。
【図４】実施例の靴下類着用補助器具を示す組み立て状態の斜視図である。
【図５】実施例の靴下類着用補助器具による靴下類の装着方法を断面で示す工程説明図である。
【図６】実施例の靴下類着用補助器具による靴下類の装着方法を断面で示す工程説明図である。
【図７】実施例の靴下類着用補助器具による靴下類の装着方法を断面で示す工程説明図である。
【図８】実施例の靴下類着用補助器具による靴下類の装着方法を断面で示す工程説明図である。
【図９】実施例の靴下類着用補助器具による靴下類の装着方法を断面で示す工程説明図である。
【図１０】実施例の靴下類着用補助器具の分解状態を示す工程説明図ある。
【図１１】実施例の靴下類着用補助器具の分解状態を示す工程説明図ある。
【符号の説明】
【００３２】
１  本体部
２  靴下類サポート部
３  基台部
３１  脚
４  靴下類
４ａ  足先部分
４ｂ  ふくらはぎ又は太もも部分
４ｃ  かかと部分
５  足
Ａ１  パーツ
Ａ２  パーツ
Ｂ１  前側連結手段
Ｂ１ａ  係合フック
Ｂ１ｂ  係合軸
Ｂ２  後側連結手段
Ｂ２ａ  係合フック
Ｂ２ｂ  係合軸
Ｃ  前後方向中心線
【図１】
2009261745.tif 000003
【図２】
2009261745.tif 000004
【図３】
2009261745.tif 000005
【図４】
2009261745.tif 000006
【図５】
2009261745.tif 000007
【図６】
2009261745.tif 000008
【図７】
2009261745.tif 000009
【図８】
2009261745.tif 000010
【図９】
2009261745.tif 000011
【図１０】
2009261745.tif 000012
【図１１】
2009261745.tif 000013